(57)【要約】【課題】着用時に腹部が圧迫されにくく、ずり落ちにくいボトムを提供する。【解決手段】ウエスト部２０を構成する前ベルト２１と後ベルト２２のうち、後ベルト２２を伸縮不能とし、前ベルト２１のみをカーブゴム２１ｂを挿入することで伸縮可能とする。さらに前ベルト２１の表地２１ａの布目をボトム本体１０の前中心に対して傾斜させ、表地２１ａをパンツ本体１０の前中心を基準に右半部と左半部に区画した場合に、その右半部と左半部とで布目の傾斜方向を逆向きにする。着用者が前屈気味の姿勢を取った場合でも、伸縮性の良好な前ベルト２１が伸長することで腹部の圧迫が防がれる。後ベルト２２は伸縮不能であるため、後ベルト２２も伸縮可能に構成した場合と比較して、着用時にずり落ちにくい。【選択図】図１
0003194129.tif 000002
【実用新案登録請求の範囲】
【請求項１】
人体の腹回りからその下方にかけてを覆う前身頃と、人体の腰回りからその下方にかけてを覆う後身頃とからなるボトム本体、
前記前身頃の上縁に沿って連結される伸縮可能な前ベルトと、前記後身頃の上縁に沿って連結される伸縮不能な後ベルトとからなるウエスト部、とを備え、
前記前ベルトは、表地と、表地内に挿入されるゴムベルトとを有し、
前記表地は、前記ボトム本体の前中心を基準に右半部と左半部に区画され、この右半部と左半部とでボトム本体の前中心に対する布目の傾斜方向が逆向きになっているボトム。
【請求項２】
前記前ベルトの表地の布目のボトム本体の前中心に対する傾斜角度は、２０〜４５度である請求項１に記載のボトム。
【請求項３】
前記前身頃の少なくとも人体の腹回りに対応する箇所の裏側に積層固定され、その積層固定された箇所に保形性を与える芯地、をさらに備える請求項１または２に記載のボトム。
【考案の詳細な説明】
【技術分野】
【０００１】
本考案は、パンツ、スカートなどのボトムに関する。
とくに本考案は、着用時に腹部が圧迫されにくいボトムに関する。
【背景技術】
【０００２】
一般にパンツは、着用時に人体の腹部から大腿部にかけての広い範囲が包み込まれることから、スカートと比較して圧迫感をおぼえやすい。
特に椅子に着席するなどして前屈気味の姿勢を取った場合には、腹部がより強く圧迫されることとなるため、着用感が悪い問題がある。
【０００３】
このため、パンツのウエスト部にゴムベルトを挿入するなどしてウエスト部を伸縮可能に構成し、着用感を改善する試みもなされているが、ウエスト部の全周を伸縮可能とすると着用時に固定の程度が緩み、ずり落ちやすい問題がある。
そこで本考案者らがスカートについて提案している特許文献１の技術を、パンツに転用して、パンツのウエスト部のベルトのうち、前ベルト部分にゴムベルトを挿入するなどして伸縮可能なものとし、かつ後ベルト部分を伸縮不能なものとすることが考えられる。このようにすると、後ベルトも伸縮可能に構成した場合と比較して、着用時にずり落ちにくくなる。
【０００４】
しかしパンツのウエスト部は、前ベルトを構成する内外一対の外ベルトおよび内ベルト、外ベルトと内ベルトの間に挟み込まれたパンツ本体の表地および裏地が縫い合わされており、しかも外ベルトと内ベルトは縫い代において二重に折り返されているため、合計六重の構造になっているのが一般的である。
このように、パンツにおいてはスカートと比較して、ウエスト部において生地の合計厚みが大きく、柔軟性に欠けるため、特許文献１のスカートと同様に前ベルトを伸縮可能にしただけでは、腹部の圧迫感が十分には解消されない恐れがある。
またスカートなどパンツ以外のボトムにおいても、腹部の圧迫感が一層解消されることが望ましい。
【先行技術文献】
【特許文献】
【０００５】
【特許文献１】実用新案登録第３１８９４２０号公報
【考案の概要】
【考案が解決しようとする課題】
【０００６】
そこで本考案の解決すべき課題は、着用時に腹部が圧迫されにくく、ずり落ちにくいボトムを提供することである。
【課題を解決するための手段】
【０００７】
上記した課題を解決するため、本考案にかかるボトムでは、そのウエスト部を構成する前ベルトと後ベルトのうち、後ベルトを伸縮不能とし、前ベルトのみを伸縮可能としたのである。
なお、ここでいう後ベルトが伸縮不能であるとは、一切伸縮できないことを意味するのではなく、伸縮性の良好な前ベルトと比較した場合に有意な伸縮性を示さないことを意味する。
【０００８】
併せて、前ベルトを表地と表地内に挿入されるゴムベルトとからなるものとし、その表地の生地の布目をボトム本体の前中心に対して傾斜させることとしたのである。
さらにその表地の生地の布目のボトム本体の前中心に対する傾斜の方向を、表地をボトム本体の前中心を基準に右半部と左半部に区画した場合に、その右半部と左半部とで逆向きにしたのである。
【０００９】
本考案に係るボトムでは、前ベルトの表地の生地の布目のボトム本体の前中心に対する傾斜角度（鋭角側の角度）を、２０〜４５度とするのが好ましい。
【００１０】
本考案にかかるボトムでは、ボトム本体を構成する前身頃と後身頃のうち少なくとも前身頃の人体の腹回りに対応する箇所の裏側に芯地を積層固定して、その積層固定された箇所に保形性を与えるのが好ましい。
なお、ここでいうボトム本体の裏側とは、ボトム本体が表地と裏地とからなる二層構造の場合には、表地の裏側、すなわち表前身頃の裏側を意味する。
【考案の効果】
【００１１】
本考案のウエスト部を以上のように構成したため、着用者が前屈気味の姿勢を取った場合でも、伸縮性の良好な前ベルトが伸長することで腹部の圧迫が防がれる。
とくに前ベルトの表地の布目を、ボトム本体の前中心に対して傾斜させることで伸縮性を増しているため、一層良好な伸縮性が得られている。
加えて、前ベルトの表地をボトム本体の前中心を基準に右半部と左半部に区画し、その右半部と左半部とで布目の傾斜方向を逆向きにしているため、伸長の方向が左右で逆向きとなり、さらに一層良好な伸縮性が得られている。
一方、後ベルトは伸縮不能であるため、後ベルトも伸縮可能に構成した場合と比較して、着用時にずり落ちにくい。
【００１２】
前ベルトの表地の生地の布目のボトム本体の前中心に対する傾斜角度を、２０〜４５度とすると、良好な伸縮性が得られ、かつ布目が傾斜していることによる見た目の違和感を抑えることができる。
【００１３】
本考案において、さらに、ボトム本体の少なくとも前身頃の前ベルトに近接する箇所を芯地により保形性を高めておくと、皺が形成されにくく、体裁がよい。
【図面の簡単な説明】
【００１４】
【図１】実施形態のパンツの斜視図
【図２】実施形態のパンツの着用状態を示す側面図
【図３】実施形態のパンツの図２のIII−III線に沿った縦断面図
【考案を実施するための形態】
【００１５】
以下、図面を参照しつつ本考案の実施形態について説明する。
図１および図３のように、実施形態のパンツ１は、パンツ本体１０と、ウエスト部２０と、芯地３０とからなる。
そして、そのウエスト部２０に特定の構成を採用したことにより、着用時に腹部の圧迫感を覚えず、かつずり落ちにくくなっている。
また芯地３０の存在により、パンツ本体１０の腹回りに皺が生じにくくもなっている。
【００１６】
本実施形態では、図１から図３のように、パンツ本体１０は、その表面側を構成する表地１１と、その裏面側を構成する裏地１２との二層構造となっている。
これら表地１１と裏地１２とは、その外縁部のみが縫い合わせ等により連結され、それ以外の箇所については互いに拘束されない、すなわちいわば浮き上がった状態となっている。
なお、裏地１２はパンツ本体１０の着心地を改善する等の目的で設けられているが、パンツ本体１０を表地１１のみから構成して、裏地１２を省略することも可能である。また、パンツ本体１０の前半部のみ裏地１２を設け、後半部は裏地１２を省略してもよい。このように裏地１２がパンツ本体１０の前半部のみに設けられている場合には、表地１１と裏地１２を脇部分においても縫い合わせることになる。
【００１７】
図１および図２のように、本実施形態では、その表地１１は、実施形態のパンツ１の着用時に人体の腹回りから足首の近傍までを覆う左右一対の表前身頃１１ａと、人体の腰回りから足首の近傍までを覆う左右一対の表後身頃１１ｂと、からなる。
【００１８】
同様に、図１から図３のように、本実施形態では、その裏地１２は、実施形態のパンツ１の着用時に人体の腹回りから膝の近傍までを覆う左右一対の裏前身頃１２ａと、人体の腰回りから膝裏の近傍までを覆う左右一対の裏後身頃と、からなる。
【００１９】
ここでパンツ本体１０の丈、形状については、本実施形態には限定されず、たとえばロングパンツでもショートパンツでも、タイトなタイプのパンツでもゆったりとした余裕のあるタイプのパンツでもいずれでもよい。
左右一対の表地１１および左右一対の裏地１２のパーツは、それぞれ適宜分割されていてもよい。
また、パンツ本体１０の表地１１および裏地１２の生地の種類についても、織物生地、編物生地等、特に限定されないが、実施形態のパンツ１の着用感を考慮すると伸縮性のある素材が好ましい。
【００２０】
ところで着心地や見た目などの観点から、伸縮性の良好な生地が適しておらず、表地や裏地の生地に伸縮性が乏しい素材を用いざるを得ないような場合がある。
そのような場合には、たとえばその生地の布目がパンツ本体１０の前中心に対して傾斜するような、いわゆるバイアスされた状態に用いることで、伸縮性を与えることができる。
バイアスの角度も特に限定されないが、たとえばパンツ本体１０の上下方向に対して布目の方向が２０〜４５度程度の角度をなすように設定すると、適度な伸縮性が得られる。
生地を縫い合わせる糸の種類も特に限定されないが、パンツ本体１０の伸縮性を損ねないような、弾性糸等の伸縮性を有する糸が好ましい。
表地や裏地の全体に伸縮性を求めない場合には、伸縮性が必要となる部位のみをバイアスされた生地を用い、その他の部位は通常どおりにバイアスされていない生地を用いることもできる。たとえば、表地や裏地の上半部のみをバイアスされた生地を用い、下半部はバイアスされていない生地に切り替えてもよい。
【００２１】
図１および図２のように、本実施形態では、ウエスト部２０は、前ベルト２１と後ベルト２２とからなる。
前ベルト２１は、外ベルトと内ベルトとからなり、外ベルトはパンツ本体１０の表前身頃１１ａに、内ベルトは裏前身頃１２ａの上縁に縫い合わせる等して連結され、後ベルト２２も同様に、パンツ本体１０の表後身頃１１ｂ、裏後身頃の上縁に縫い合わせる等して連結されている。
また前ベルト２１と後ベルト２２も、端部同士を縫い合わせる等して連結されている。
ウエスト部２０とパンツ本体１０およびウエスト部２０の前ベルト２１と後ベルト２２を縫い合わせる糸の種類は特に限定されないが、伸縮性が損なわれないような、弾性糸等の伸縮性を有する糸が好ましい。
【００２２】
図１から図３のように、本実施形態では、前ベルト２１は、弧状に湾曲したカーブベルトの表地２１ａと、表地２１ａの内部に挿入され、同様に弧状に湾曲したカーブゴム２１ｂとからなる。
カーブゴム２１ｂの全長がカーブベルトの表地２１ａの全長よりも小さい場合には、その全長の差が大きいほど前ベルト２１の伸縮性が大きくなるが、その反面、伸縮性が大きすぎると前ベルト２１に皺が形成されやすく好ましくない。
そのため、カーブゴム２１ｂの全長はカーブベルトの表地２１ａの全長よりも若干小さめ（たとえば数ｍｍ〜１ｃｍ程度小さめ）に設定されるのが好ましい。
また、実施形態では着用者の体のラインに沿いやすいものとしてカーブベルトの表地２１ａが採用されているが、湾曲していないストレートのベルトを用いてもよい。
前ベルト２１に挿入されるゴムについても同様に、カーブゴム２１ｂに代えて、ストレートのゴムを用いることができる。
【００２３】
図１および図２のように、前ベルト２１の表地２１ａには、パンツ本体１０の前中心に対して生地の布目が傾斜した、いわゆるバイアスされた状態の生地が用いられている。
ここで前ベルト２１の表地２１ａは、パンツ本体１０の前中心を基準にして右半部と左半部に区画されており、布目の傾斜方向は右半部と左半部とで逆向きとなっている。
バイアスされた生地を用いることで前ベルト２１の表地２１ａには良好な伸縮性が与えられている。しかも表地２１ａの右半部と左半部とで布目の傾斜方向が逆向きであるため、伸長の方向も逆向きとなっており、いっそう良好な伸縮性が得られ、着用時に腹部の圧迫感をおぼえないようになっている。
表地２１ａの布目のパンツ本体１０の前中心に対する傾斜角度（鋭角側の角度）は特に限定されないが、２０〜４５度とすると、良好な伸縮性が得られ、かつ布目が傾斜していることによる見た目の違和感を抑えることができる。
図示では、右半部と左半部とで布目の傾斜角度は同じになっており、この場合右半部と左半部とで伸びが均等になるため好ましいが、右半部と左半部とで傾斜の向きが逆向きであれば足り、傾斜角度が異なっていてもよい。
【００２４】
前ベルト２１の全長とパンツ本体１０の表前身頃１１ａ、裏前身頃１２ａの腹回り長さとの大小関係は特に限定されない。
もっともパンツ本体１０の腹回りに余裕を持たせるには、パンツ本体１０の表前身頃１１ａ、裏前身頃１２ａの腹回り長さを前ベルト２１の全長よりも若干大きめに設定するのが好ましい。
【００２５】
図１および図２のように、本実施形態では、後ベルト２２は、弧状に湾曲したカーブベルトからなる。
前ベルト２１とは異なりカーブゴム等の伸縮性に富んだ素材は用いられておらず、そのため前ベルト２１と比較した場合には有意な伸縮性を有しない、いわゆる固いタイプのベルトとなっている。
この後ベルト２２も前ベルト２１と同様に、カーブベルトに代えて、湾曲していないストレートのベルトを用いることも可能である。
後ベルト２２は伸縮不能であることから、後ベルト２２が伸縮可能である場合と比較して、実施形態のパンツ１の着用時に人体の腰回りに対する固定の程度が良好であり、パンツがずり落ちにくくなっている。
また後ベルト２２が伸縮不能であることから、パンツ本体１０の表後身頃１１ｂ、裏後身頃と後ベルト２２との連結箇所には、皺が形成されにくくなっている。
また、図示では、後ベルト２２の生地は、前ベルト２１の生地とは異なり、バイアスさせていない通常の生地が用いられているが、後ベルト２２も前ベルト２１と同様にバイアスさせてもよい。
【００２６】
図３のように、本実施形態では、芯地３０は、パンツ本体１０の表前身頃１１ａ、裏前身頃１２ａと表後身頃１１ｂ、裏後身頃の間に位置し、かつ表前身頃１１ａの裏側に重ね合わせて固定、すなわち積層固定されている。
その積層固定の範囲は、図１および図２のとおり、表前身頃１１ａの腹回りから太ももの付け根近傍にかけてである。
芯地３０の積層固定の態様は特に限定されないが、接着剤による貼り付け、溶着等が例示できる。
なお図３のように、芯地３０の表側には、表地１１としての表前身頃１１ａが位置し、芯地の裏側には、裏地１２としての裏前身頃１２ａが位置している。
このため、芯地３０はその表裏両面がこれらの生地に覆い隠されて、パンツ本体１０の外面からは視認できないようになっている。
【００２７】
ここで芯地３０を積層固定する範囲は、すくなくともパンツ本体１０の表前身頃１１ａの腹回り近傍に積層固定されている限りにおいて、本実施形態には限定されない。
たとえば表前身頃１１ａの裏側の全域に積層固定したり、表前身頃１１ａの裏側のみならず表後身頃１１ｂの裏側にも積層固定したりすることも可能である。
パンツ本体１０の表前身頃１１ａの腹回り近傍の箇所は、その直上にウエスト部２０の前ベルト２１が位置し、この前ベルト２１が伸縮することから、前ベルト２１に追従して皺が形成されやすくなっている。
しかし、本実施形態では、表前身頃１１ａの当該箇所の裏側に芯地３０が積層固定されて保形性が向上しているため、皺の形成が抑制されており、見た目にも体裁のよいものとなっている。
【００２８】
かかる芯地３０の生地の種類は、表地１１に保形性を与えうる限りにおいて限定されないが、従来からジャケット等の上着については、保形性を持たせる目的でその表地の裏に積層される芯地が使用されており、これと同様の種類であることが好ましい。
芯地３０の生地の種類を例示すれば、織物芯地、編物芯地、不織布芯地が挙げられるが、いずれにせよ、ウエスト部２０の前ベルト２１の伸縮に追従できるように、伸縮性のある生地が好ましい。
芯地３０は、省略することも可能である。
【００２９】
図１のように、パンツ本体１０の左右一対の表前身頃１１ａ、裏前身頃１１ｂからウエスト部２０の前ベルト２１にかけてホック・ファスナ４０が付属しており、着用の際に開閉することで着衣および脱衣が容易におこなえるようになっている。
このようなホック・ファスナ４０の種類、位置、数については本実施形態に限定されず、ファスナのみ、ホックのみとしてもよいし、ホック・ファスナのいずれも省略可能であることは無論である。
【００３０】
今回開示された実施形態はすべての点で例示であって制限的なものではないと考慮されるべきである。本考案の範囲は実用新案登録請求の範囲によって示され、その範囲内でのすべての修正と変形を含むものであることが意図される。
【００３１】
たとえば本実施形態ではパンツを例示しているが、スカート等、ボトムの全般に本考案を適用可能である。
【符号の説明】
【００３２】
１  実施形態のパンツ
１０  パンツ本体
１１  表地
１１ａ  表前身頃
１１ｂ  表後身頃
１２  裏地
１２ａ  裏前身頃
２０  ウエスト部
２１  前ベルト
２１ａ  表地
２１ｂ  カーブゴム
２２  後ベルト
３０  芯地
４０  ホック・ファスナ
【図１】
0003194129.tif 000003
【図２】
0003194129.tif 000004
【図３】
0003194129.tif 000005